(57)【特許請求の範囲】
【請求項１】
少なくとも幅方向の両側縁からそれぞれ外向きに係止片が延設されたレールが嵌入されるレール取付溝が形成された器体と、レール取付溝内に挿入され当該レール取付溝の底面との間でレールの一方の係止片を挟持してレールを保持する保持位置とレール取付溝内から後退してレールの保持を解除する解除位置との間で進退自在に器体に取付けられたレール取付具とを備え、器体の一端側には当該器体を被取付部に取付けるための取付ねじが挿通されるねじ挿通部が器体の厚み方向に貫設されるとともに、器体の他端側には取付ねじが挿通されるねじ挿通凹部が一側面の一部に凹設され、レール取付具の一端側にはねじ挿通凹部内に挿入された取付ねじが挿通されるねじ挿通孔が設けられ、当該レール取付具は、器体の一側面から突出しないように、ねじ挿通孔が設けられた部位をねじ挿通凹部内に配置したことを特徴とする電気機器。
【請求項２】
少なくとも現在時刻を計時する時計手段と、所望の時刻に負荷を制御するためのプログラムを設定するプログラム設定手段と、少なくとも現在時刻を表示する表示手段と、電源が接続される電源接続端子と、負荷が接続される負荷接続端子と、電源接続端子及び負荷接続端子と直列に接続されて負荷への電源供給をオン／オフする開閉手段と、現在時刻が所望の時刻と一致した際に開閉手段をオン／オフする制御信号を出力する出力制御手段とを備え、電源接続端子及び負荷接続端子は前記器体の他端側の側部に並べて配置され、当該電源接続端子と負荷接続端子との間に前記ねじ挿通凹部を設けたことを特徴とする請求項１記載の電気機器。
【請求項３】
前記ねじ挿通凹部を覆うカバーを設けたことを特徴とする請求項１又は２の何れか１項に記載の電気機器。
【発明の詳細な説明】
【技術分野】
【０００１】
本発明は、ＤＩＮレールに取付けるための取付手段と、取付ねじを用いて被取付部に取付けるための取付手段とを備えた電気機器に関するものである。
【背景技術】
【０００２】
従来より、例えばＤＩＮレールなどに取付けるための取付手段と、取付ねじを用いて被取付部に取付けるための取付手段とを備えた電気機器があった（例えば特許文献１参照）。この電気機器は、ＤＩＮレールが嵌入される凹溝が底面に形成された縦長の器体と、凹溝内に挿入され凹溝の底面との間でＤＩＮレールの一方の係止片を挟持してＤＩＮレールを保持する保持位置と、凹溝内から後退してＤＩＮレールの保持を解除する解除位置との間で進退自在に器体に取付けられた操作桿とを備えている。器体の長手方向における一端側には、電気機器を被取付部に取付けるための取付ねじが挿通されるねじ挿通部が器体の厚み方向に貫設されており、他端側の底面には操作桿が後端側を器体の外側面から外側に突出させた状態で取付けられている。また、操作桿の後端側には、取付ねじが挿通されるねじ挿通孔が貫設されている。
【０００３】
この電気機器は、ＤＩＮレールの一方の係止片を凹溝の底面と凹溝端縁に設けた係止突起との間に差し込んだ状態で他方の係止片を凹溝の底面と操作桿の前端部との間で挟持することでＤＩＮレールに取付けられ、また器体のねじ挿通部及び操作桿のねじ挿通孔にそれぞれ挿通した取付ねじを用いてねじ固定することで被取付部に取付けられる。
【特許文献１】実開昭６２−１６０４２１号公報（第６頁−第７頁、及び、第１図−第３図）
【発明の開示】
【発明が解決しようとする課題】
【０００４】
このような電気機器の流通過程において、発生が想定される落下や振動による衝撃に対して破損を防止するために、電気機器を包装箱に梱包して流通させているが、上述の特許文献１に示した電気機器では、操作桿の後端側が器体の外側面よりも外側に突出しており、また操作桿が器体の底面から下側に突出しているため、電気機器を梱包する包装箱の展開面積は、操作桿が器体の外側面から突出していない電気機器と比べて大きくなり、包装箱の材料費用が増加するとともに省資源化に逆行するという問題があった。
【０００５】
また、電気機器を梱包した包装箱が操作桿に対応する部位から落下した場合には、操作桿が器体から外れたり、操作桿や器体の一部が壊れたりする場合もあり、さらに操作桿の端部によって包装箱が引き裂かれ操作桿の一部が露出する可能性もあった。
【０００６】
さらに、包装箱が操作桿に対応する部位から落下した場合を想定して、操作桿を保護するように包装箱の内側を補強したり、包装箱の空きスペースに落下衝撃や振動衝撃を吸収する保護部材を入れることも可能であるが、保護部材の手配や在庫管理や収納作業などの費用が発生するため、コストアップになるという問題があった。
【０００７】
また、操作桿を器体に取付けずに包装箱に同包して出荷することも可能であるが、電気機器を被取付部に取付ける際には操作桿を器体に取付ける必要があるため取扱いが煩雑になり、また無意識に器体のみを包装箱から取り出し、操作桿の取り出しを忘れることで操作桿を紛失してしまう可能性もあった。
【０００８】
さらに、特許文献１の電気機器では、電源接続端子及び負荷接続端子が、器体の幅方向に均等に並べて配置されているため、電源接続端子の位置と負荷接続端子の位置を見分けにくいという問題もあった。
【０００９】
また、特許文献１の電気機器では、器体のねじ挿通部及び操作桿のねじ挿通孔にそれぞれ挿通した取付ねじを用いて被取付部に取付ける場合、操作桿の後端側が器体の外側面よりも外側に突出しているため、操作桿の一部及び取付ねじが前方から見えることになり、外観が損なわれるという問題もあった。
【００１０】
本発明は上記問題点に鑑みて為されたものであり、その目的とするところは、コストアップを抑えるとともに外観を向上させた作業性のよい電気機器を提供することにある。
【課題を解決するための手段】
【００１１】
請求項１の発明は、少なくとも幅方向の両側縁からそれぞれ外向きに係止片が延設されたレールが嵌入されるレール取付溝が形成された器体と、レール取付溝内に挿入され当該レール取付溝の底面との間でレールの一方の係止片を挟持してレールを保持する保持位置とレール取付溝内から後退してレールの保持を解除する解除位置との間で進退自在に器体に取付けられたレール取付具とを備え、器体の一端側には当該器体を被取付部に取付けるための取付ねじが挿通されるねじ挿通部が器体の厚み方向に貫設されるとともに、器体の他端側には取付ねじが挿通されるねじ挿通凹部が一側面の一部に凹設され、レール取付具の一端側にはねじ挿通凹部内に挿入された取付ねじが挿通されるねじ挿通孔が設けられ、当該レール取付具は、器体の一側面から突出しないように、ねじ挿通孔が設けられた部位をねじ挿通凹部内に配置したことを特徴とする。
【００１２】
請求項２の発明は、少なくとも現在時刻を計時する時計手段と、所望の時刻に負荷を制御するためのプログラムを設定するプログラム設定手段と、少なくとも現在時刻を表示する表示手段と、電源が接続される電源接続端子と、負荷が接続される負荷接続端子と、電源接続端子及び負荷接続端子と直列に接続されて負荷への電源供給をオン／オフする開閉手段と、現在時刻が所望の時刻と一致した際に開閉手段をオン／オフする制御信号を出力する出力制御手段とを備え、電源接続端子及び負荷接続端子は器体の他端側の側部に並べて配置され、当該電源接続端子と負荷接続端子との間にねじ挿通凹部を設けたことを特徴とする。
【００１３】
請求項３の発明は、ねじ挿通凹部を覆うカバーを設けたことを特徴とする。
【発明の効果】
【００１４】
請求項１の発明によれば、レール取付具が器体の一側面から突出しないように、ねじ挿通孔が設けられた部位をねじ挿通凹部内に配置した状態でレール取付具を器体に取付けているので、レール取付具が器体の側面から外側に出っ張ることがなく、電気機器を梱包する包装箱の展開面積を小さくすることができ、包装箱の材料費用を低減できるとともに省資源化に寄与することができるという効果がある。また、レール取付具が器体から突出していないので、電気機器を梱包した包装箱を落下させた場合でも、従来例のようにレール取付具が器体から外れたり、レール取付具や器体の一部が破損することがなく、さらにレール取付具の端部によって包装箱が引き裂かれレール取付具の一部が露出することがないという効果がある。さらに、従来例のように包装箱を補強したり、空きスペースに保護部材を入れる必要がないので、包装箱の補強や保護部材にかかる費用が不要になり、また保護部材の手配や在庫管理や収納作業などの費用も発生しないので、コストアップを抑えることができるという効果がある。また、レール取付具を器体に取付けた状態で出荷できるため、電気機器の取付時においてレール取付具を器体に取付ける作業を省くことができ、またレール取付具を紛失することがないという効果もある。
【００１５】
請求項２の発明によれば、器体の他端側の側部に並べて配置された電源接続端子と負荷接続端子との間にねじ挿通凹部を設けているので、電源接続端子の位置と負荷接続端子の位置を容易に見分けることができ、作業性が向上するという効果がある。
【００１６】
請求項３の発明によれば、電気機器を取付ねじを用いて被取付部に取付ける場合、ねじ挿通凹部を覆うようにカバーを取付けることによって、レール取付具の一部や取付ねじが前面側から見えることがなく、外観を向上させた電気機器を提供することができるという効果がある。
【発明を実施するための最良の形態】
【００１７】
本発明の実施形態を図１〜図６に基づいて説明する。本実施形態の電気機器は、例えば接続された負荷Ｌ（例えば、照明など）を予め設定した時刻にオン／オフするタイムスイッチであって、例えば被取付部に取付けられたＤＩＮレール（図示せず）に取付けられたり、固定ねじ２５を用いて直接被取付部に取付けられる。尚、以下の説明では特に断りがない限り、図３中の矢印ａ−ｂの方向を前後方向、矢印ｃ−ｄの方向を上下方向、矢印ｅ−ｆの方向を左右方向として説明を行う。
【００１８】
このタイムスイッチは、図１〜図４に示すように前面側が開口するボディ２と、後面側が開口しボディ２の開口を閉塞する形でボディ２に被着されるカバー３と、ボディ２とカバー３とを結合することで形成されるケース１内に収納される基板ブロック４とを備えている。ここに、ボディ２とカバー３とを結合することで形成されるケース１が器体を構成している。
【００１９】
基板ブロック４は、後述するタイマ回路５が形成された基板３８と、電源接続端子３６、３６及び負荷接続端子３７、３７を有する端子台ブロック６とで構成されている。図５はタイマ回路５のブロック図を示しており、タイマ回路５は、マイクロコンピュータからなり、計時用発振部３０からのクロック信号に基づいて現在の曜日や現在時刻を計時する時計部３１、及び、所望の時刻に負荷Ｌを制御するためのプログラムが格納されたプログラム記憶部３３が内蔵された制御部１７と、複数のプッシュ型ボタンからなる設定用スイッチ部１３と、スライドスイッチからなるモード切替スイッチ１６と、スライドスイッチからなる動作設定スイッチ１５と、液晶ディスプレイからなる液晶表示部１２と、複数のＬＥＤからなるＬＥＤ表示部１４（１４ａ、１４ｂ）と、電源接続端子３６、３６を介して入力された商用電源ＡＣから動作電源を生成する電源部３５と、商用電源ＡＣの停電を検出する停電検出部２８と、商用電源ＡＣの停電時に制御部１７に電源を供給する停電補償電源部３９と、負荷接続端子３７、３７を介して接続された負荷Ｌへの電源供給を制御部１７からのオン／オフ指令にしたがってオン／オフする出力部１９と、制御部１７の動作をリセットするリセット部２９と、制御部１７を動作させるクロック信号を生成する発振部３２とを備えている。ここに、制御部１７が出力制御手段を構成し、出力部１９が開閉手段を構成し、時計部３１が時計手段を構成し、設定用スイッチ部１３がプログラム設定手段を構成し、液晶表示部１２が表示手段を構成している。尚、本実施形態のタイマスイッチでは、動作条件として所望の曜日を設定することもでき、例えば毎週月曜日の午前８時に負荷Ｌをオンさせるようなプログラムを設定することも可能である。
【００２０】
電源部３５は、図５に示すように電源接続端子３６、３６から入力される商用電源ＡＣを降圧する降圧回路３５ａと、降圧した入力電圧を直流変換して動作電源として上記各部へ供給する直流変換回路３５ｂとで構成され、電源の通電時には通電状態表示部１４ｂが点灯する。また、停電検出部２８により商用電源ＡＣの停電が検出されると、停電補償電源部３９からの電源供給に切り替わるようになっている。
【００２１】
また、出力部１９は、図５に示すように制御部１７からのオン／オフ指令にしたがって駆動信号を生成するドライブ回路１９ｂと、この駆動信号によって接点がオン／オフするリレー１９ａとで構成され、負荷Ｌはリレー１９ａの接点を介して電源に接続されており、リレー１９ａのオン／オフに応じて電源供給のオン／オフが切り替えられる。すなわち、リレー１９ａがオンして負荷Ｌへ電源が供給されている運転状態と、リレー１９ａがオフして負荷Ｌへ電源が供給されていない停止状態とが制御部１７によって制御されているのである。さらに、負荷Ｌを運転状態に制御しているときは出力状態表示部１４ａが点灯する。
【００２２】
また、図４及び図５に示すように一方の電源接続端子３６とリレー１９ａの一方の出力端子１９ｃとの間は帯板状に形成された導電部材２０により電気的に接続され、一方の負荷接続端子３７とリレー１９ａの他方の出力端子１９ｃとの間は帯板状に形成された導電部材２１により電気的に接続されている。
【００２３】
端子台ブロック６は、図３及び図４に示すように、例えば合成樹脂からなる横長の端子台９を有し、端子台９の長手方向中央部にはタイムスイッチのケース１を被取付部に取付けるための固定ねじ２５が挿通されるねじ挿通凹部９ｂが凹設され、ねじ挿通凹部９ｂの上部にはねじ孔９ｄが形成されている。また、ねじ挿通凹部９ｂを間にして長手方向両側には、前面及び下面が開口し電源接続端子３６、３６及び負荷接続端子３７、３７を構成する端子金具１０及び端子ねじ１１が収納される端子収納部９ｃがそれぞれ２個ずつ設けられており、隣接する端子収納部９ｃ、９ｃ間には端子間の絶縁を確保するための絶縁壁９ａがそれぞれ設けられている。さらに、端子台９の幅方向に沿う両側壁には、ボディ２に設けた嵌合部２ｋの嵌合孔と嵌合する嵌合突起９ｅがそれぞれ設けられている。
【００２４】
尚、本実施形態では、図３中の左側に配置した２個の端子が電源接続端子３６、３６を構成し、右側に配置した２個の端子が負荷接続端子３７、３７を構成している。而して、本実施形態のタイムスイッチでは、ケース１の幅方向に並べて配置された電源接続端子３６、３６と負荷接続端子３７、３７との間にねじ挿通凹部９ｂを設けているので、電源接続端子３６、３６の位置と負荷接続端子３７、３７の位置を容易に見分けることができ、作業性が向上する。
【００２５】
基板ブロック４を構成する基板３８はプリント基板であって、図１及び図４に示すように略矩形板状の基板本体３８ａを有し、基板本体３８ａの一端側には端子台ブロック６を基板本体３８ａに実装する際に端子台９を載置するための端子台載置部（図示せず）が一体に形成されている。尚、この端子台載置部は、端子台ブロック６を基板本体３８ａに実装した後、基板本体３８ａから切り離される。
【００２６】
基板本体３８ａの前面において上部の左寄りには図４に示すように液晶表示部１２が配置されており、この液晶表示部１２は現在の時刻状態（例えば、現在の曜日、現在時刻、時刻カウント動作ドットなど）やタイマの設定状態（例えば、タイマを設定する時刻や負荷の動作状態を示す「入」、「切」など）などを表示する。また、基板本体３８ａの前面において液晶表示部１２の下部には設定用スイッチ部１３が配置されており、設定用スイッチ部１３を構成する各プッシュ型ボタンの押操作により所望の曜日や時刻に負荷Ｌをオン／オフさせるプログラムが設定される。尚、各プッシュ型ボタンは、押圧された導電ゴムが基板本体３８ａに形成された導電パターンに導通することによって、オン／オフ操作される所謂導電ゴムスイッチが用いられる。
【００２７】
さらに、基板本体３８ａの前面において液晶表示部１２及び設定用スイッチ部１３の右側には、負荷Ｌの出力状態を表示するＬＥＤからなる出力状態表示部１４ａ、スライド操作に応じて自動動作、連続入動作、連続切動作、手動一時入動作又は手動一時切動作の何れかの動作を設定する動作設定スイッチ１５、電源の通電状態を表示するＬＥＤからなる通電状態表示部１４ｂ、並びに、現在時刻を表示する時計表示モード、タイマを設定するタイマ設定モード又は現在時刻を設定する時計設定モードの何れかのモードに切替えられるモード切替スイッチ１６が上下方向に並んで配置されている。
【００２８】
ここに、自動動作とは、制御部１７がプログラム記憶部３３に記憶しているプログラムに基づいて時計部３１で計時している現在時刻とプログラムで設定された時刻（設定時刻）とを比較し、現在時刻が設定時刻に一致すると負荷を運転又は停止させる負荷制御動作のことをいい、連続入動作とは、制御部１７がプログラムに基づく運転／停止制御に関係なく負荷の運転状態を連続的に維持する負荷制御動作のことをいい、連続切動作とは、制御部１７がプログラムに基づく運転／停止制御に関係なく負荷の停止状態を連続的に維持する負荷制御動作のことをいう。また、手動一時入動作とは、制御部１７がプログラムに基づく運転／停止制御に関係なく停止状態の負荷を一時的に運転状態にする負荷制御動作のことをいい、手動一時切動作とは、制御部１７がプログラムに基づく運転／停止制御に関係なく運転状態の負荷を一時的に停止状態にする負荷制御動作のことをいう。尚、手動一時入動作は、動作設定スイッチ１５の操作部を自動動作の位置（図３中の真ん中の位置）から連続入動作の位置（図３中の上側の位置）に切替えた後、所定時間内に再び自動動作の位置に戻すことで設定され、手動一時切動作は、動作設定スイッチ１５の操作部を自動動作の位置から連続切動作の位置（図３中の下側の位置）に切替えた後、所定時間内に再び自動動作の位置に戻すことで設定される。
【００２９】
基板本体３８ａの後面には、図１及び図４に示すように下部の右寄りに出力部１９を構成するリレー１９ａが配置され、リレー１９ａの下部には端子台ブロック６が配置されている。また、リレー１９ａの一方（図４中の左側）の出力端子１９ｃと端子台ブロック６の一方の電源接続端子３６との間は、後面に配置された導電部材２０を介して電気的に接続され、リレー１９ａの他方（図４中の右側）の出力端子１９ｃと端子台ブロック６の一方の負荷接続端子３７との間は、後面に配置された導電部材２１を介して電気的に接続されている。すなわち、本実施形態の基板本体３８ａには、前面に液晶表示部１２や制御部１７を構成する演算素子２３や各操作スイッチ（設定用スイッチ部１３、動作設定スイッチ１５、モード切替スイッチ１６）などの弱電回路部品が配置されるとともに、後面にリレー１９ａや端子台ブロック６や導電部材２０、２１などの強電回路部品が配置されている。
【００３０】
導電部材２０は、図１及び図４に示すように略Ｌ字状の主片２０ａを有し、主片２０ａの両端部には電源接続端子３６を構成する端子金具１０の先端部１０ａが挿通される挿通孔（図示せず）が貫設された接続部２０ｂ、及び、リレー１９ａの出力端子１９ｃが挿通される挿通孔（図示せず）が貫設された接続部２０ｃがそれぞれ一体に設けられている。また、各接続部２０ｂ、２０ｃと主片２０ａとの間には、主片２０ａにおける接続部２０ｂ、２０ｃとの連結部位を斜め下方に折り曲げることによって前後方向（基板本体３８ａの厚み方向）に段差が設けられている。さらに、主片２０ａにおいて接続部２０ｃ側の部位には、前面側（基板本体３８ａ側）に突出し基板本体３８ａに貫設した固定孔（図示せず）にそれぞれ差し込まれる一対の固定爪２０ｆ、２０ｆが一体に設けられている。
【００３１】
また、導電部材２１は、図４に示すように略Ｉ字状の主片２１ａを有し、主片２１ａの両端部には負荷接続端子３７を構成する端子金具１０の先端部１０ａが挿通される挿通孔（図示せず）が貫設された接続部２１ｂ、及び、リレー１９ａの出力端子１９ｃが挿通される挿通孔（図示せず）が貫設された接続部２１ｃがそれぞれ一体に設けられている。また、各接続部２１ｂ、２１ｃと主片２１ａとの間には、主片２１ａにおける接続部２１ｂ、２１ｃとの連結部位を斜め下方に折り曲げることによって前後方向（基板本体３８ａの厚み方向）に段差が設けられている。さらに、主片２１ａにおいて接続部２１ｃ側の部位には、前面側（基板本体３８ａ側）に突出し基板本体３８ａに貫設した固定孔（図示せず）に差し込まれる固定爪２１ｆが一体に設けられている。
【００３２】
一方、基板本体３８ａにおいて、導電部材２０の接続部２０ｂ及び導電部材２１の接続部２１ｂに対応する部位にはそれぞれ切欠部（図示せず）が貫設され、接続部２０ｃ及び接続部２１ｃに対応する部位にはそれぞれ略矩形状の開口部（図示せず）が貫設されている。
【００３３】
而して、導電部材２０を基板本体３８ａに取付ける場合には、接続部２０ｂを切欠部に、接続部２０ｃを開口部にそれぞれ填め込むとともに、各固定爪２０ｆを対応する固定孔にそれぞれ差し込んで嵌合させると、導電部材２０が基板本体３８ａに取付けられる。この時、各接続部２０ｂ、２０ｃはその表面が基板本体３８ａの後面と略同じ高さとなるように配置されている。尚、導電部材２１についても導電部材２０と同様にして基板本体３８ａに取付けられるため、説明は省略する。
【００３４】
ボディ２は、例えば厚みが薄い略矩形箱状の合成樹脂成形品であって、ボディ２の長手方向一端側（図４中の上側）の底面において幅方向中央部には、タイムスイッチのケース１を被取付部に取付けるための固定ねじ２５が挿通されるねじ挿通孔２ｃが設けられ、ボディ２の長手方向他端側（図４中の下側）の底面には、端子台ブロック６をガイドするための一対のガイド壁２ｇ、２ｇが前面側に向かって突設されている。而して、ボディ２の長手方向において、これらのガイド壁２ｇ、２ｇに対して上側に基板３８を収納するための基板収納部２ｈが形成され、ガイド壁２ｇ、２ｇに対して下側には端子台ブロック６を収納するための端子台収納部２ｂ、２ｂが形成される。
【００３５】
また、ボディ２の基板収納部２ｈ側において長手方向に沿う両側壁及び幅方向に沿う側壁には、基板３８の下面が当接する当接面を有する基板受け部２ｅが前面側に向かって複数（本実施形態では４個）突設されており、ボディ２の長手方向に沿う両側壁には、外側に向かって突出する嵌合突起２ｄがそれぞれ長手方向に沿って所定の間隔で２個ずつ設けられている。さらに、ボディ２の長手方向他端側（図４中の下側）において端子台収納部２ｂ、２ｂ間には、端子台ブロック６の端子台９に設けたねじ挿通凹部９ｂと連通するねじ挿通凹部２ａが凹設されており、ボディ２の端子台収納部２ｂ側において長手方向に沿う両側壁には端子台９の両側壁にそれぞれ設けた嵌合突起９ｅが嵌合する嵌合孔が形成された嵌合部２ｋがそれぞれ前面側に向かって突設されている。
【００３６】
また、ボディ２の裏面の長手方向中央部には、図１に示すようにタイムスイッチのケース１をＤＩＮレール（図示せず）に取付けるための取付溝２ｊが幅方向（図１中の前後方向）に沿って設けられており、さらにボディ２の裏面の長手方向一端側（図１中の左側）には、レール取付具８が取付けられている。また、取付溝２ｊにおいてレール取付具８と反対側の端縁には、内側に向かって突出する係止突部２ｌが一体に設けられている。
【００３７】
レール取付具８は例えば合成樹脂成形品であって、図１及び図４に示すように縦長の略Ｉ字状の主片８ｄを有し、主片８ｄの先端側には主片８ｄと交差する方向に延出するばね体８ｃが一体に設けられている。このレール取付具８は、ボディ２の底面に設けられた溝（図示せず）内に主片８ｄを挿通させることでボディ２に取付けられ、主片８ｄはこの溝に沿って、取付溝２ｊ内に挿入され取付溝２ｊの底面との間でＤＩＮレールの一方の係止片を挟持してＤＩＮレールを保持する保持位置と、取付溝２ｊ内から後退してＤＩＮレールの保持を解除する解除位置との間で進退自在に移動できるようになっている。
【００３８】
而して、ケース１をＤＩＮレールに取付ける場合には、ＤＩＮレールの幅方向一端側の係止片を取付溝２ｊの底面と係止突部２ｌとの間に差し込んだ状態で他端側の係止片を主片８ｄの先端部８ｂに当接させながらＤＩＮレールを取付溝２ｊ側に押し込むと、ＤＩＮレールからの押圧力により主片８ｄが外側（図１中の左側）に移動するとともにばね体８ｃが外側に付勢され、さらにＤＩＮレールを押込んで他端側の係止片が取付溝２ｊの底面と主片８ｄの先端部８ｂとの間に配置されると、ばね体８ｃからの反力（図１中の右方向の力）により主片８ｄが内側（図１中の右側）に移動し、ＤＩＮレールの他端側の係止片が取付溝２ｊの底面と主片８ｄの先端部８ｂとの間に挟持されて、ケース１がＤＩＮレールに取付けられる。
【００３９】
逆に、ケース１をＤＩＮレールから取り外す場合には、ばね体８ｃからの反力に抗してレール取付具８を取付溝２ｊ内から後退（図１中の左側に移動）させると、上記他端側の係止片の挟持状態が解除されて、ＤＩＮレールからケース１が取り外される。
【００４０】
また、レール取付具８の主片８ｄには、図４に示すように下端側（先端部８ｂと反対側）に固定ねじ２５が挿通されるねじ挿通孔８ａが設けられており、このねじ挿通孔８ａと上述したボディ２のねじ挿通孔２ｃにそれぞれ挿通した固定ねじ２５、２５を用いて被取付部にねじ固定することもできる。ここにおいて、レール取付具８は、図２及び図３に示すように組立状態においてケース１の下側の側面から外側へ突出しないように、ねじ挿通孔８ａが設けられた部位をねじ挿通凹部９ｂ、ねじ挿通凹部２ａ及びねじ挿通凹部３ｃで構成されるねじ挿通凹部内に配置している。
【００４１】
而して、本実施形態のタイムスイッチでは、レール取付具８がケース１の側面から外側へ出っ張ることがなく、タイムスイッチを梱包する包装箱の展開面積を小さくすることができるので、包装箱の材料費用を低減できるとともに省資源化に寄与することができる。また、レール取付具８がケース１の側面から外側へ突出していないので、タイムスイッチを梱包した包装箱を落下させた場合でも、従来例のようにレール取付具８がケース１から外れたり、レール取付具８やケース１の一部が破損することがなく、さらにレール取付具８の端部によって包装箱が引き裂かれレール取付具８の一部が露出することがない。さらに、従来例のように包装箱を補強したり、空きスペースに保護部材を入れる必要がないので、包装箱の補強や保護部材にかかる費用が不要になり、また保護部材の手配や在庫管理や収納作業などの費用も発生しないので、コストアップを抑えることができる。また、レール取付具８をケース１に取付けた状態で出荷できるため、タイムスイッチの取付時においてレール取付具８をケース１に取付ける作業を省くことができ、またレール取付具８を紛失することがない。
【００４２】
カバー３は、上下方向及び左右方向の寸法がボディ２と略同寸法に形成された略矩形箱状の合成樹脂成形品であって、ボディ２に被着することでボディ２とともにケース１を形成する。カバー３の長手方向一端側（図４中の上側）には、ボディ２のねじ挿通孔２ｃと連通するねじ挿通孔３ａが設けられ、カバー３の前面においてねじ挿通孔３ａの下側には、操作部表示シート７が取付けられる略矩形状の取付凹所３ｌが設けられている。また、取付凹所３ｌの底面において液晶表示部１２に対応する部位には、液晶表示部１２の表示内容を前方から視認可能とする略矩形状の開口窓３ｄが設けられ、この開口窓３ｄの下側には設定用スイッチ部１３を構成する各プッシュ型ボタンの操作部を前面側に露出させる複数の孔からなる露出部３ｅが設けられている。また、開口窓３ｄ及び露出部３ｅの右側には、出力状態表示部１４ａ及び通電状態表示部１４ｂに対応する部位にＬＥＤからの光を前面側に露光するための露光窓３ｆ、３ｈがそれぞれ設けられるとともに、動作設定スイッチ１５及びモード切替スイッチ１６に対応する部位に各スイッチの操作部に取付けられる摘み１８を配置する溝３ｇ、３ｊがそれぞれ設けられ、溝３ｇ、３ｊの底部には各スイッチの操作部を前面側に露出させる露出孔が貫設されている。これらの露光窓３ｆ、３ｈ及び溝３ｇ、３ｊは、取付凹所３ｌ内において上下方向に並んで設けられている。尚、摘み１８は、各スイッチの操作性を向上させるために取付けられるものであり、溝３ｇ、３ｊ内に上下方向に移動自在に配置される。ここに、ボディ２のねじ挿通孔２ｃ及びカバー３のねじ挿通孔３ａでねじ挿通部が構成されている。
【００４３】
さらに、カバー３の長手方向他端側（図４中の下側）には、端子台ブロック６を露出するための切欠部３ｂが設けられ、切欠部３ｂの上部には各端子の名称（本実施形態では、電源及び負荷）が記載されたネームプレート２７が取付けられている。また、カバー３の長手方向他端側において幅方向中央部には、側壁を内側に略コ字型に折り曲げて形成され、端子台９に設けたねじ挿通凹部９ｂ及びボディ２に設けたねじ挿通凹部２ａと連通するねじ挿通凹部３ｃが設けられている。さらに、カバー３の長手方向に沿う両側壁においてボディ２に設けた嵌合突起２ｄに対応する部位には、嵌合突起２ｄが嵌合する嵌合孔３ｋが設けられており、ボディ２の前面側からカバー３を被着するとともに、各嵌合突起２ｄを対応する嵌合孔３ｋにそれぞれ嵌合させることでケース１が組立てられる。
【００４４】
操作部表示シート７は、例えばアクリル樹脂などにより略矩形状に形成され、液晶表示部１２、出力状態表示部１４ａ及び通電状態表示部１４ｂに対応する部位には表示内容やＬＥＤからの光が前面側から視認できるように透明部７ａ、７ｂがそれぞれ設けられている。また、設定用スイッチ部１３、動作設定スイッチ１５及びモード切替スイッチ１６に対応する部位には、各スイッチの操作部を露出させる露出孔７ｃ、７ｄが設けられており、さらに透明部７ｂ、露出孔７ｃ、７ｄの近傍には、各スイッチのモードやＬＥＤの表示対象などを示す文字列２６が例えば印刷により形成されている。この操作部表示シート７は、取付凹所３ｌ内に配置された状態でカバー３に固着され、上記摘み１８はこの操作部表示シート７とカバー３との間に挟まれた状態で溝３ｇ、３ｊ内に配置される。
【００４５】
カバー３の切欠部３ｂには、図２及び図３に示すように電源接続端子３６、３６及び負荷接続端子３７、３７を覆う端子カバー４０が開閉自在に取付けられる。この端子カバー４０は、略Ｌ字状に形成されたカバー本体４０ａを有し、カバー本体４０ａの裏面側において長手方向（図３中の左右方向）中央部には、主片４０ａに設けたねじ挿通孔４０ｄと連通する略円筒状のねじ挿通部４０ｃが一体に設けられ、さらにねじ挿通部４０ｃを間にして長手方向両側には、リブ４０ｂ、４０ｂが突設されている。
【００４６】
この端子カバー４０は、長手方向両端縁にそれぞれ設けた軸突起（図示せず）をカバー３の切欠部３ｂの両端部に形成した軸孔（図示せず）にそれぞれ軸支することによって開閉自在にカバー３に取付けられ、ねじ挿通孔４０ｄを通してねじ挿通部４０ｃに挿通した固定ねじ４１を端子台９に設けたねじ孔９ｄに螺合させると、図２に示すように端子カバー４０が端子台９に固定される。この状態において、ねじ挿通凹部（ねじ挿通凹部２ａ、３ｃ及び９ｂ）は端子カバー４０により覆われており、前面側から見えないようになっている。
【００４７】
而して、本実施形態のタイムスイッチでは、ねじ挿通凹部が前面側から見えないように端子カバー４０で覆われているので、タイムスイッチを固定ねじ２５を用いて被取付部に取付ける場合、ねじ挿通凹部内に配置されたレール取付具８や固定ねじ２５が前面側から見えることがなく、外観を向上させたタイムスイッチを提供することができる。
【００４８】
また、カバー３の前面側には、図１に示すように前面カバー２２が取付けられる。この前面カバー２２は下面が開口する略矩形箱状であって、例えば透明なアクリル樹脂などにより形成されており、前面カバー２２をカバー３に取付けた状態でも液晶表示部１２の表示内容や各スイッチの設定状態などが確認できるようになっている。
【００４９】
ここで、タイムスイッチの組立手順について図３及び図４に基づいて説明する。まず、ボディ２の底面にレール取付具８を取付けるとともに、基板本体３８ａが基板収納部２ｈ側、端子台ブロック６が端子台収納部２ｂ、２ｂ側となるように前面側から基板ブロック４をボディ２内に収納する。この時、端子台９は両側壁に設けた嵌合突起９ｅがそれぞれ対応する嵌合部２ｋの嵌合孔に嵌合してボディ２に固定され、基板本体３８ａは４つの基板受け部２ｅの当接面（上面）と当接する。次に、カバー３を前面側からボディ２に被着するとともにボディ２の各嵌合突起２ｄを対応するカバー３の嵌合孔３ｋに嵌合させてケース１を組立てる。この時、液晶表示部１２は開口窓３ｄを臨んだ状態で配置され、設定用スイッチ部１３の各プッシュ型ボタンは操作部を露出部３ｅの対応する孔からそれぞれ露出させた状態で配置される。また、出力状態表示部１４ａ及び通電状態表示部１４ｂは、それぞれ露光窓３ｆ、３ｈを臨んだ状態で配置されるとともに、動作設定スイッチ１５及びモード切替スイッチ１６は操作部を溝３ｇ、３ｊと連通する露出孔からそれぞれ露出させた状態で配置され、さらに端子台ブロック６はカバー３の切欠部３ｂを臨んだ状態で配置される。さらに、基板本体３８ａは、カバー３の内側面に設けた複数の基板押さえ部（図示せず）の下面と、ボディ２に設けた基板受け部２ｅの当接面との間で挟持される。最後に、各摘み１８をそれぞれ対応するスイッチの操作部に取付けるとともに溝３ｇ、３ｊ内に配置し、前面側から操作部表示シート７をカバー３の取付凹所３ｌ内に固着した後、端子カバー４０をカバー３に軸支すると、タイムスイッチの組立てが完了する。
【００５０】
さらに、組立てられたタイムスイッチはＤＩＮレールに取付けられたり、固定ねじ２５を用いて被取付部に取付けられ、電源線や負荷Ｌからの電線（ともに図示せず）がカバー３の切欠部３ｂを通して端子台ブロック６の電源接続端子３６、３６及び負荷接続端子３７、３７にそれぞれ接続される。そして、端子カバー４０を固定ねじ４１を用いて端子台９に螺着し、前面カバー２２をカバー３に被着するとタイムスイッチの取付けが完了する。
【００５１】
次に、タイムスイッチによる負荷Ｌの制御動作について図６に基づいて説明する。制御部１７が動作を開始すると（ステップＳ１）、時計部３１により現在時刻の計時動作を行わせた後（ステップＳ２）、制御部１７は動作設定スイッチ１５のスライド操作によって設定された動作が自動動作であるか否かを判定する（ステップＳ３）。ステップＳ３において自動動作であると判定した場合には、制御部１７はプログラム記憶部３３に記憶されたプログラムで設定した曜日及び時刻と、現在の曜日及び時刻とを比較し（ステップＳ４）、現在の曜日及び時刻が設定された曜日及び時刻に一致すると制御部１７は出力部１９に対してオン／オフ指令を出力し、このオン／オフ指令に基づいて出力部１９が負荷Ｌをオン／オフさせる（ステップＳ５）。
【００５２】
また、ステップＳ３において自動動作でないと判定した場合には、制御部１７は動作設定スイッチ１５のスライド操作によって設定された動作が連続入動作または連続切動作であるかを判定する（ステップＳ６）。ステップＳ６において連続入動作または連続切動作であると判定した場合には、制御部１７はプログラムに関係なく出力部１９に対して連続的にオン／オフ指令を出力し、このオン／オフ指令に基づいて出力部１９が負荷Ｌを連続的にオン／オフさせる（ステップＳ７）。
【００５３】
さらに、ステップＳ６において連続入動作または連続切動作の何れでもないと判定した場合には、制御部１７は動作設定スイッチ１５のスライド操作によって設定された動作が手動一時入動作または手動一時切動作であるかを判定する（ステップＳ８）。ステップＳ８において手動一時入動作または手動一時切動作であると判定した場合には、制御部１７はプログラムに関係なく出力部１９に対して一時的にオン／オフ指令を出力し、このオン／オフ指令に基づいて出力部１９が負荷Ｌを一時的にオン／オフさせる（ステップＳ９）。
【００５４】
そして、負荷Ｌの制御動作が終了すると、計時動作に戻り（ステップＳ２）、以降、上記ステップＳ２〜Ｓ９を繰り返して負荷Ｌの動作制御を行う。
【００５５】
尚、本実施形態では、電気機器としてタイムスイッチを例に説明したが、ＤＩＮレールに取付けられるような電気機器であればよく、例えば回路遮断器のようなものであってもよい。
【図面の簡単な説明】
【００５６】
【図１】本実施形態の電気機器の断面図である。
【図２】同上の端子カバーを閉じた状態の斜視図である。
【図３】同上の端子カバーを開けた状態の斜視図である。
【図４】同上の分解斜視図である。
【図５】同上に用いられる基板に形成されたタイマ回路のブロック図である。
【図６】同上の負荷の制御動作を示すフローチャート図である。
【符号の説明】
【００５７】
１  ケース（器体）
２  ボディ
２ａ  ねじ挿通凹部
２ｃ  ねじ挿通部
２ｊ  取付溝
３  カバー
３ａ  ねじ挿通部
３ｃ  ねじ挿通凹部
８  レール取付具
８ａ  ねじ挿通孔
９ｂ  ねじ挿通凹部
【図１】
0004934778.tif 000002
【図２】
0004934778.tif 000003
【図３】
0004934778.tif 000004
【図４】
0004934778.tif 000005
【図５】
0004934778.tif 000006
【図６】
0004934778.tif 000007